(57)【要約】【課題】  マンホール用グレーチング上に蓋体が載置されず作業者が安全且つ容易にマンホール内を昇降できると共に蓋体を容易にマンホール壁面に収納できグレーチング上でも安全に作業ができるマンホール用グレーチング装置を提供する。【解決手段】  マンホ―ルの縦孔の途中に設置されるマンホール用グレーチング１０の一部に切欠空間１４が形成され、該切欠空間を蓋体１５によって覆ってなるマンホール用グレーチングであって、前記蓋体が平面視略方形状に形成され、該蓋体の一辺側に蓋体開閉用撮み１６を設け、他辺側をマンホール壁面１７に位置させ、該マンホール壁面に戸袋状の蓋収納枠１１を設け、前記蓋体の開口時に該蓋体を収納枠に収納させるようにしたマンホール用グレーチング装置。【選択図】        図３
2005226281.tif 000002
【特許請求の範囲】
【請求項１】
マンホ―ルの縦孔の途中に設置されるマンホール用グレーチングの一部に切欠空間を形成し、該切欠空間を蓋体によって覆ってなるマンホール用グレーチングであって、前記蓋体を平面視略方形状に形成し、該蓋体の一辺側に蓋体開閉用撮みを設け、他辺側をマンホール壁面に位置させ、該マンホール壁面に戸袋状の蓋収納枠を設け、前記蓋体の開口時に該蓋体を収納枠に収納させるようにしたことを特徴とするマンホール用グレーチング装置。
【発明の詳細な説明】
【技術分野】
【０００１】
本発明は、マンホ―ルの縦孔の途中に設置されるマンホール用グレーチングの一部に切欠空間を形成し、該切欠空間を蓋体によって覆ってなるマンホール用グレーチングに関するものである。
【背景技術】
【０００２】
従来，マンホ―ルの縦孔の途中に設置されるマンホール用グレーチングの一部に切欠空間を形成し、該切欠空間を蓋体によって覆ってなるマンホール用グレーチングにおいて、前記蓋体を二つの分割体とし、第一分割体と第二分割体及び第二分割体とマンホール用グレーチングをそれぞれ蝶番を介して枢着し、蓋体開口時には該蓋体をマンホール用グレーチング上に折り重ねて載置したものがある（例えば特許文献１参照。）。
【０００３】
【特許文献１】登録実用新案第３０２６４４６号公報
【発明の開示】
【発明が解決しようとする課題】
【０００４】
ところで、前記従来の技術では、蓋体はマンホール用グレーチング上に折り重ねて載置されているので、作業者が蓋体で躓いたり，体に傷を負ったりする虞があると共にマンホール用グレーチング上の作業で邪魔になる、という虞がある。
【０００５】
本発明は、従来の技術の有するこのような問題点に鑑みてなされたものであり、その目的とするところは、マンホール用グレーチング上に蓋体が載置されず作業者が安全且つ容易にマンホール内を昇降できると共に蓋体を容易にマンホール壁面に収納できグレーチング上でも安全に作業ができるマンホール用グレーチング装置を提供しようとするものである。
【課題を解決するための手段】
【０００６】
上記目的を達成するために、本発明におけるマンホール用グレーチング装置は、マンホ―ルの縦孔の途中に設置されるマンホール用グレーチングの一部に切欠空間を形成し、該切欠空間を蓋体によって覆ってなるマンホール用グレーチングであって、前記蓋体を平面視略方形状に形成し、該蓋体の一辺側に蓋体開閉用撮みを設け、他辺側をマンホール壁面に位置させ、該マンホール壁面に戸袋状の蓋収納枠を設け、前記蓋体の開口時に該蓋体を収納枠に収納させるようにしたことを特徴とするものである。
【発明の効果】
【０００７】
以上のように、蓋体を平面視略方形状に形成し、該蓋体の一辺側に蓋体開閉用撮みを設け、他辺側をマンホール壁面に位置させ、該マンホール壁面に戸袋状の蓋収納枠を設け、前記蓋体の開口時に該蓋体を収納枠に収納させるようにしたので、マンホール用グレーチング上に蓋体が載置されず作業者が安全且つ容易にマンホール内を昇降できると共に蓋体を容易にマンホール壁面に収納できマンホール用グレーチング上でも安全に作業ができるマンホール用グレーチング装置となる。
【発明を実施するための最良の形態】
【０００８】
図１ないし図５は本発明に係るマンホール用グレーチング装置の実施例に関するもので図１はマンホール用グレーチング装置をマンホール躯体に設置したの断面概略図、図２はマンホール用グレーチング装置の平面図、図３（ａ），（ｂ）はマンホール用グレーチング装置の開閉状態を示す概観図、図４は蓋収納枠をマンホール躯体に設置した平面図、図５は図４の正面図を示すものである。
【０００９】
図において、１はマンホールであり、該マンホ―ル１は地面２から大径の縦孔３を穿設し、該縦孔３の周面にコンクリ―トを打設してマンホ―ル躯体４を形成し、該マンホ―ル躯体４の最下端部５に配置される下水管，通信線等６を点検・修理・管清掃等を行うために、小径の入口マンホ―ル７から作業者が出入するようになされている。そして、前記マンホ―ル躯体４は縦長の孔で構成されているため、その周壁に多数段の足掛具８を配設し、該マンホ―ル躯体４の途中には複数個のマンホール用グレーチング装置９が設置されている。
【００１０】
前記マンホール用グレーチング装置９はマンホール用グレ―チング１０と蓋収納枠１１とグレ―チング受枠ブラケット１２とグレ―チング補強部材１３とから構成されている。
マンホール用グレ―チング１０は、例えば硬質合成樹脂材により格子状に一体成形された有孔板体であり、該マンホール用グレ―チング１０の一部に切欠空間１４が形成され、該切欠空間１４が蓋体１５によって覆われている。
【００１１】
前記蓋体１５は平面視略方形状に形成され、該蓋体１５の一辺側に蓋体開閉用撮み１６を設け、他辺側をマンホール壁面１７に位置させ、他辺側近傍には蓋体押さえプレート１８が配置されている。
【００１２】
前記蓋収納枠１１は例えば硬質合成樹脂材で戸袋状に形成され、前記蓋体開口時に蓋体１５を該戸袋に収納するように、マンホール壁面１７にアンカーボルト１９，１９，…で設置されている。
【００１３】
前記グレーチング受枠ブラケット１２，１２，…は、例えば硬質合成樹脂材で形成され、マンホール１の内周壁面に一定間隔でアンカーボルト２０，２０，…で設置され、該グレーチング受枠ブラケット１２，１２，…にマンホール用グレ―チング１０が配置される。
また、グレ―チング補強部材１３は、例えば硬質合成樹脂材により四角棒状に形成され、前記グレーチング受枠ブラケット１２に形成された保持用凹溝に該補強部材４の両端が挿着されグレーチング受枠ブラケット１２に設置されてマンホール用グレ―チング１０の補強部材となる。
【００１４】
以上のような構成からなるマンホール用グレーチング装置９であって、マンホ―ル１の縦孔３の内周壁面に一定間隔でアンカーボルト２０，２０，…によりグレーチング受枠ブラケット１２，１２，…を確実に設置する。
そして、グレーチング受枠ブラケット１２，１２，…が設置されたらグレ―チング補強部材１３をグレーチング受枠ブラケット１２に形成した保持用凹溝に挿着し、マンホール用グレ―チング１０をグレーチング受枠ブラケット１２，１２，…の上面に載置させ、蓋収納枠１１をマンホール壁面１７に設置することにより、マンホール用グレーチング装置９を簡単，容易にマンホ―ル１に設置することができる。
【００１５】
また、設置されたマンホール用グレーチング装置９は図３（ａ）（ｂ）に示すように、蓋体１５の閉口時には前記蓋体押さえプレート１８によりマンホール用グレ―チング１０に確実に設置され、蓋体１５の開口時には作業者が蓋体開閉用撮み１６を引き上げることにより簡単，容易に蓋体１５を持ち上げて、前記蓋収納枠１１に蓋体１５をに収納することができる。そして、作業者が作業する際にはマンホール用グレーチング１０上に蓋体１５が載置されずに作業者は安全且つ容易にマンホール１内を昇降でき、また、マンホール用グレーチング１０上でも安全に作業することができる。
【００１６】
なお、本実施例はマンホール１の断面形状が角形であるが、断面形状が丸形の場合は蓋体１５の壁面側の形状を該壁面に沿った曲面に形成するとよく、また、マンホール用グレーチング装置９の材質は本実施例では硬質合成樹脂材であるが、これに限定されものではなく例えば金属等で形成することも可能である。
【図面の簡単な説明】
【００１７】
【図１】本発明の実施例に係るマンホール用グレーチング装置をマンホール躯体に設置したの断面概略図である。
【図２】マンホール用グレーチング装置の平面図である。
【図３】（ａ）（ｂ）マンホール用グレーチング装置の開閉状態を示す概観図である。
【図４】蓋収納枠をマンホール躯体に設置した平面図である。
【図５】図４の正面図である。
【符号の説明】
【００１８】
１              マンホール
３              縦孔
９              マンホール用グレーチング装置
１０            マンホール用グレーチング
１１            蓋収納枠
１４            切欠空間
１５            蓋体
１６            蓋体開閉用撮み
１７            マンホール壁面
【図１】
2005226281.tif 000003
【図２】
2005226281.tif 000004
【図３】
2005226281.tif 000005
【図４】
2005226281.tif 000006
【図５】
2005226281.tif 000007